(57)【要約】【課題】  スライド部の動作範囲によって多様なメニューを設定し得る装置及びその方法を提供しようとする。【解決手段】  本体部２００に切削形成された複数のガイド溝２２０と、スライド部１００の両方側壁端部の外面に突成されたガイド突条１２０と、該ガイド突条１２０が前記ガイド溝２２０に沿ってスライディングされるとき、前記スライド部１００の移動距離を電流形態で検出する移動距離検出部（歯部１４０、円形歯車歯部１６０及び電流検出部１８０）と、該移動距離検出部から出力された電流に基づいて前記スライド部１００の開放状態を複数の段階に認識して、使用者メニューを運用する制御部２６０と、を包含してスライド式移動通信端末機のメニュー設定装置を構成する。【選択図】  図１
2004320772.tif 000002
【特許請求の範囲】
【請求項１】
本体部に切削形成された複数のガイド溝と、
スライド部の両方側壁端部の外面に突成されたガイド突条と、
該ガイド突条が前記ガイド溝に沿ってスライディングされるとき、前記スライド部の移動距離を電流形態で検出する移動距離検出部と、
該移動距離検出部から出力された電流に基づいて前記スライド部の開放状態を複数の段階に認識して、使用者メニューを運用する制御部と、
を包含して構成されることを特徴とするスライド式移動通信端末機のメニュー設定装置。
【請求項２】
前記移動距離検出部と制御部間に接続されたアナログデジタル変換器が更に包含されることを特徴とする請求項１記載のスライド式移動通信端末機のメニュー設定装置。
【請求項３】
前記移動距離検出部は、
前記スライド部の両方側壁の内面に直線状に形成された歯部と、
それら歯部に噛合されるように軸支された円形歯車歯部と、
それら円形歯車歯部の軸に固定され、前記スライド部の移動による前記円形歯車歯部の回転運動を電流形態で感知する電流検出部と、
から構成されることを特徴とする請求項１記載のスライド式移動通信端末機のメニュー設定装置。
【請求項４】
前記電流検出部は、
動作電源と出力端子間に直列接続された負荷抵抗及び可変抵抗から構成されることを特徴とする請求項３記載のスライド式移動通信端末機のメニュー設定装置。
【請求項５】
前記可変抵抗の抵抗値は、
スライド部の移動距離に正比例することを特徴とする請求項４記載のスライド式移動通信端末機のメニュー設定装置。
【請求項６】
前記複数の段階は、
前記ガイド溝の数と同様に設定されることを特徴とする請求項１記載のスライド式移動通信端末機のメニュー設定装置。
【請求項７】
前記制御部は、
認識された開放状態が所定時間持続するとき使用者メニューを運用することを特徴とする請求項１記載のスライド式移動通信端末機のメニュー設定装置。
【請求項８】
本体部に形成された複数のガイド溝及びスライド部の両方側壁端部の外面に突成されたガイド突条が備えられたスライド式移動通信端末機であって、
スライド部の両方側壁の内面に直線状に切削形成された歯部と、
それら歯部に噛合される円形歯車歯部と、
前記スライド部の移動距離による電流を出力する電流検出部と、
該電流検出部から出力された電流をデジタル信号に変換するアナログデジタル変換器と、
該アナログデジタル変換器から出力されたデジタル信号により前記スライド部の開放状態を複数の段階に認識して、各段階で使用者メニューを運用する制御部と、
を包含して構成されることを特徴とするスライド式移動通信端末機のメニュー設定装置。
【請求項９】
前記電流検出部は、
動作電源と出力端子間に直列接続された負荷抵抗及び可変抵抗から構成されることを特徴とする請求項８記載のスライド式移動通信端末機のメニュー設定装置。
【請求項１０】
前記可変抵抗の抵抗値は、
スライド部の移動距離に正比例することを特徴とする請求項９記載のスライド式移動通信端末機のメニュー設定装置。
【請求項１１】
前記複数の段階は、
ガイド溝の数と同様に設定されることを特徴とする請求項８記載のスライド式移動通信端末機のメニュー設定装置。
【請求項１２】
前記制御部は、
認識された開放状態が所定時間持続するとき使用者メニューを運用することを特徴とする請求項８記載のスライド式移動通信端末機のメニュー設定装置。
【請求項１３】
本体部に形成された複数のガイド溝及びスライド部の両方側壁端部の外面に突成されたガイド突条が備えられたスライド式移動通信端末機であって、
ガイド突条が本体部のガイド溝に沿ってスライディングされるとき、可変抵抗を利用してスライド部の移動による電流を測定する段階と、
該測定された電流をモニタリングすることで前記スライド部の開放状態を多段階に認識する段階と、
該認識された開放状態に該当するメニューを実行する段階と、
を順次行うことを特徴とするスライド式移動通信端末機のメニュー設定方法。
【請求項１４】
前記多段階の開放状態に対応して使用者メニューまたは通信モードを設定する段階を更に行うことを特徴とする請求項１３記載のスライド式移動通信端末機のメニュー設定方法。
【請求項１５】
前記電流をモニタリングする回数は、
ガイド溝の数と同様に設定されることを特徴とする請求項１３記載のスライド式移動通信端末機のメニュー設定方法。
【請求項１６】
前記電流をモニタリングする時点は、
スライド部のガイド突条が本体部のガイド溝に係合される時点であることを特徴とする請求項１３記載のスライド式移動通信端末機のメニュー設定方法。
【請求項１７】
前記可変抵抗は、
スライド部の移動距離に正比例することを特徴とする請求項１３記載のスライド式移動通信端末機のメニュー設定方法。
【請求項１８】
前記使用者メニューは、
認識された開放状態が所定時間持続するとき実行されることを特徴とする請求項１３記載のスライド式移動通信端末機のメニュー設定方法。
【請求項１９】
前記スライド部の開放状態によって、待機モード、通信モード、マルチメディアモード、警告メッセージメニュー及び自動応答メニュー中何れか一つが運用されることを特徴とする請求項１３記載のスライド式移動通信端末機のメニュー設定方法。
【発明の詳細な説明】
【技術分野】
【０００１】
本発明は、スライド式移動通信端末機に係るもので、詳しくは、スライド部の移動により多様なメニューを具現し得るメニュー設定装置及びその方法に関するものである。
【背景技術】
【０００２】
一般に、移動通信端末機（以下、端末機と略称す）は、無線で音声、文字及び画像情報を送受信し得る携帯用機器であって、最近、マルチメディア機能がより一層強化された無線データサービスを提供している。特に、最近、制限されたサイズの端末機に多様な通信機能を付加するため、多様なタイプの端末機が開発されているが、そのうち代表的なものがスライド式端末機である。
【０００３】
図５は、一般のスライド式端末機を示した側面図で、図示されたように、一般のスライド式端末機は、スライド部１０と本体部２０とから構成されている。且つ、前記本体部２０の一方側面には、ホール効果（Ｈａｌｌ  ｅｆｆｅｃｔ）スイッチ３０が装着され、前記スライド部１０には、該ホール効果スイッチ３０に対向する磁石４０が装着されている。
【０００４】
以下、このように構成された一般のスライド式端末機のスライド開閉動作に対して説明する。
【０００５】
まず、使用者がスライド部１０を開放または閉鎖すると、該スライド部１０の磁石４０の位置が移動されることで、ホール効果スイッチ３０がターンオンまたはターンオフされる。例えば、前記スライド部１０が閉鎖されると、前記ホール効果スイッチ３０と磁石４０とが互いに近接することで、該ホール効果スイッチ３０はターンオンされ、前記スライド部１０が開放されると、前記ホール効果スイッチ３０と磁石４０とが互いに離れることで、該ホール効果スイッチ３０はターンオフされる。即ち、前記ホール効果スイッチ３０は、前記磁石４０の位置移動を感知して制御部（ＣＰＵ）に出力することで、該制御部は、前記ホール効果スイッチ３０から出力された感知信号（ターンオンまたはターンオフ信号）により、スライド式端末機の開閉状態を感知するようになる。
【０００６】
且つ、図６は、スライド式端末機の開閉状態によって制御部により行われる通信運用方法を示したフローチャートで、図示されたように、制御部は、ホール効果スイッチ３０から感知信号の入力を受けてスライド部１０の開閉状態を把握する（Ｓ１０）。次いで、前記制御部は、前記スライド部１０が開放された状態の場合は、端末機を通信モードに運用し（Ｓ１１）、前記スライド部１０が開放されていない場合は、該スライド部１０が閉鎖された状態であるかをチェックし（Ｓ１２）、該チェックの結果、前記スライド部が閉鎖されたと判明されると、前記制御部は、端末機を待機モードに運用する（Ｓ１３）。
【０００７】
このように、一般のスライド式端末機の制御部は、ホール効果スイッチ３０から出力された感知信号によりスライド部１０の開閉状態を把握した後、該把握されたスライド部１０の開閉状態によって、端末機のメニューを単に二つのモード（通信モードまたは待機モード）により運用していた。
【発明の開示】
【発明が解決しようとする課題】
【０００８】
然るに、このような一般のスライド式移動通信端末機のメニュー設定方法においては、単純にスライド部の開放または閉鎖状態のみに基づいて２種のメニューのみを実行するため、スライド方式を效果的に活用し得ないという不都合な点があった。
【０００９】
また、一般のスライド式移動通信端末機においては、使用者がメニューの設定に慣れていない場合、多様なメニュー機能を遂行し得ないという不都合な点があった。
【００１０】
本発明は、このような従来の課題に鑑みてなされたもので、スライド部の動作範囲によって多様なメニューを設定し得る装置及びその方法を提供することを目的とする。
【００１１】
また、本発明の他の目的は、スライド部の動きを複数のポイントで感知し、該感知されたポイントでメニュー機能及び通信モードを具現することで端末機の機能ボタンを追加し得るメニュー設定装置及びその方法を提供することにある。
【００１２】
また、本発明の又他の目的は、簡単な回路構成により、使用者が簡便に所望のメニューを実行し得るメニュー設定装置及びその方法を提供することにある。
【課題を解決するための手段】
【００１３】
このような目的を達成するため、本発明に係るスライド式端末機のメニュー設定装置においては、本体部に形成された複数のガイド溝と、スライド部の両方側壁端部の外面に突成されたガイド突条と、該ガイド突条が前記ガイド溝に沿ってスライディングされるとき、前記スライド部の移動距離を電流形態で検出する移動距離検出部と、該移動距離検出部から出力された電流値に基づいて前記スライド部の開放状態を複数の段階に認識して、使用者メニューを運用する制御部と、を包含して構成されることを特徴とする。
【００１４】
また、前記移動距離検出部と制御部間には、アナログデジタル変換器が更に接続されることを特徴とする。
【００１５】
また、前記移動距離検出部は、前記スライド部の両方側壁の内面に直線状に形成された歯部と、それら歯部に噛合されるように軸支された円形歯車歯部と、それら円形歯車歯部の軸に固定され、前記スライド部の移動による前記円形歯車歯部の回転運動を電流形態で感知する電流検出部と、から構成されることを特徴とする。
【００１６】
また、前記電流検出部は、動作電源と出力端子間に直列接続された負荷抵抗及び可変抵抗から構成されることを特徴とする。
【００１７】
また、前記可変抵抗の抵抗値は、スライド部の移動距離に正比例することを特徴とする。
【００１８】
また、前記複数の段階は、前記ガイド溝の数と同様に設定されることを特徴とする。
【００１９】
また、前記制御部は、認識された開放状態が所定時間持続するとき使用者メニューを運用することを特徴とする。
【００２０】
そして、本体部に形成された複数のガイド溝及びスライド部の両方側壁端部の外面に突成されたガイド突条が備えられたスライド式移動通信端末機であって、本発明に係るメニュー設定装置においては、スライド部の両方側壁の内面に直線状に切削形成された歯部と、それら歯部に噛合される円形歯車歯部と、前記スライド部の移動距離による電流を出力する電流検出部と、該電流検出部から出力された電流をデジタル信号に変換するアナログデジタル変換器と、該アナログデジタル変換器から出力されたデジタル信号により前記スライド部の開放状態を複数の段階に認識して、各段階で使用者メニューを運用する制御部と、を包含して構成されることを特徴とする。
【００２１】
また、前記電流検出部は、動作電源と出力端子間に直列接続された負荷抵抗及び可変抵抗から構成されることを特徴とする。
【００２２】
また、前記可変抵抗の抵抗値は、スライド部の移動距離に正比例することを特徴とする。
【００２３】
また、前記複数の段階は、ガイド溝の数と同様に設定されることを特徴とする。
【００２４】
また、前記制御部は、認識された開放状態が所定時間持続するとき使用者メニューを運用することを特徴とする。
【００２５】
そして、本体部に形成された複数のガイド溝及びスライド部の両方側壁端部の外面に突成されたガイド突条が備えられたスライド式移動通信端末機であって、本発明に係るメニュー設定方法においては、ガイド突条が本体部のガイド溝に沿ってスライディングされるとき、可変抵抗を利用してスライド部の移動による電流を測定する段階と、該測定された電流をモニタリングすることで前記スライド部の開放状態を多段階に認識する段階と、該認識された開放状態に該当するメニューを実行する段階と、を順次行うことを特徴とする。
【００２６】
また、前記多段階の開放状態に対応して使用者メニューまたは通信モードを設定する段階を追加して行うことを特徴とする。
【００２７】
また、前記電流をモニタリングする回数は、ガイド溝の数と同様に設定されることを特徴とする。
【００２８】
また、前記電流をモニタリングする時点は、スライド部のガイド突条が本体部のガイド溝に係合される時点であることを特徴とする。
【００２９】
また、前記可変抵抗は、スライド部の移動距離に正比例することを特徴とする。
【００３０】
また、前記認識された開放状態が所定時間持続するとき、使用者メニューを実行することを特徴とする。
【００３１】
本発明によるスライド式移動通信端末機のメニュー設定装置は、本体部に切削形成された複数のガイド溝と、スライド部の両方側壁端部の外面に突成されたガイド突条と、該ガイド突条が前記ガイド溝に沿ってスライディングされるとき、前記スライド部の移動距離を電流形態で検出する移動距離検出部と、該移動距離検出部から出力された電流に基づいて前記スライド部の開放状態を複数の段階に認識して、使用者メニューを運用する制御部と、を包含して構成されることを特徴とし、これにより上記目的を達成する。
【００３２】
前記移動距離検出部と制御部間に接続されたアナログデジタル変換器が更に包含されることを特徴としてもよい。
【００３３】
前記移動距離検出部は、前記スライド部の両方側壁の内面に直線状に形成された歯部と、それら歯部に噛合されるように軸支された円形歯車歯部と、それら円形歯車歯部の軸に固定され、前記スライド部の移動による前記円形歯車歯部の回転運動を電流形態で感知する電流検出部と、から構成されることを特徴としてもよい。
【００３４】
前記電流検出部は、動作電源と出力端子間に直列接続された負荷抵抗及び可変抵抗から構成されることを特徴としてもよい。
【００３５】
前記可変抵抗の抵抗値は、スライド部の移動距離に正比例することを特徴としてもよい。
【００３６】
前記複数の段階は、前記ガイド溝の数と同様に設定されることを特徴としてもよい。
【００３７】
前記制御部は、認識された開放状態が所定時間持続するとき使用者メニューを運用することを特徴としてもよい。
【００３８】
本発明によるスライド式移動通信端末機のメニュー設定装置は、本体部に形成された複数のガイド溝及びスライド部の両方側壁端部の外面に突成されたガイド突条が備えられたスライド式移動通信端末機であって、スライド部の両方側壁の内面に直線状に切削形成された歯部と、それら歯部に噛合される円形歯車歯部と、前記スライド部の移動距離による電流を出力する電流検出部と、該電流検出部から出力された電流をデジタル信号に変換するアナログデジタル変換器と、該アナログデジタル変換器から出力されたデジタル信号により前記スライド部の開放状態を複数の段階に認識して、各段階で使用者メニューを運用する制御部と、を包含して構成されることを特徴とし、これにより上記目的を達成する。
【００３９】
前記電流検出部は、動作電源と出力端子間に直列接続された負荷抵抗及び可変抵抗から構成されることを特徴としてもよい。
【００４０】
前記可変抵抗の抵抗値は、スライド部の移動距離に正比例することを特徴としてもよい。
【００４１】
前記複数の段階は、ガイド溝の数と同様に設定されることを特徴としてもよい。
【００４２】
前記制御部は、認識された開放状態が所定時間持続するとき使用者メニューを運用することを特徴としてもよい。
【００４３】
本発明によるスライド式移動通信端末機のメニュー設定方法は、本体部に形成された複数のガイド溝及びスライド部の両方側壁端部の外面に突成されたガイド突条が備えられたスライド式移動通信端末機であって、ガイド突条が本体部のガイド溝に沿ってスライディングされるとき、可変抵抗を利用してスライド部の移動による電流を測定する段階と、該測定された電流をモニタリングすることで前記スライド部の開放状態を多段階に認識する段階と、該認識された開放状態に該当するメニューを実行する段階と、を順次行うことを特徴とし、これにより上記目的を達成する。
【００４４】
前記多段階の開放状態に対応して使用者メニューまたは通信モードを設定する段階を更に行うことを特徴としてもよい。
【００４５】
前記電流をモニタリングする回数は、ガイド溝の数と同様に設定されることを特徴としてもよい。
【００４６】
前記電流をモニタリングする時点は、スライド部のガイド突条が本体部のガイド溝に係合される時点であることを特徴としてもよい。
【００４７】
前記可変抵抗は、スライド部の移動距離に正比例することを特徴としてもよい。
【００４８】
前記使用者メニューは、認識された開放状態が所定時間持続するとき実行されることを特徴としてもよい。
【００４９】
前記スライド部の開放状態によって、待機モード、通信モード、マルチメディアモード、警告メッセージメニュー及び自動応答メニュー中何れか一つが運用されることを特徴としてもよい。
【発明の効果】
【００５０】
本発明に係るスライド式移動通信端末機のメニュー設定装置及びその方法においては、スライド部の開閉状態を複数のポイントで感知した後、各感知ポイントで使用者が所望の各種メニューまたは通信モードを運用することで、移動通信端末機の機能ボタンをより拡張し得るという効果がある。
【００５１】
また、本発明に係るスライド式移動通信端末機のメニュー設定装置及びその方法を利用する場合、より多様なメニュー及び通信モードを運用し得ると共に、メニューの設定に慣れていない場合も容易に所望のメニューを実行し得るという効果がある。
【発明を実施するための最良の形態】
【００５２】
以下、本発明の実施の形態に対し、図面に基づいて説明する。
【００５３】
本発明は、スライド部の動作範囲を認識することで使用者の便宜に係る多様なメニュー及び通信モードを具現し得る方案を提案する。即ち、本発明は、可変抵抗を利用してスライド部の位置による電流をモニタリングすることでスライド部の移動状態を認識した後、各状態で使用者に便宜な機能を設定するが、このとき、本発明は、スライド部の動きを感知するため、既存のホール効果や接点方式のプッシュスイッチの代りに可変抵抗を用いる。よって、スライド部の動きによって可変抵抗が変化し、該可変抵抗の変化によって変化される電流量に基づいて一種の４段階スイッチを設けることで、各段階に適合した便利なメニュー機能を具現することができる。
【００５４】
図１は、本発明に適用されたスライド式端末機を示した説明図で、図示されたように、本発明に適用されたスライド式端末機は、本体部２００の両方側壁の内面に形成された複数のガイド溝２２０と、スライド部１００の両方側壁端部の外面に突成されたガイド突条１２０と、該ガイド突条１２０が突成された両方側壁の内面に直線状に形成された歯部１４０と、該歯部１４０に噛合されて前記スライド部１００の直線運動を回転運動に変換する円形歯車歯部１６０と、該円形歯車歯部１６０の軸に固定され、回転運動の大きさを感知する電流検出部１８０と、を包含して構成されている。
【００５５】
また、前記複数のガイド溝２２０は、前記本体部２００の各側壁の内面に左右対称に形成されるが、本発明においては一方側壁に四つのガイド溝２２０が形成されたことを仮定した。且つ、前記ガイド突条１２０は、前記スライド部１００の左右側壁端部の外面にそれぞれ形成される。
【００５６】
また、前記電流検出部１８０は、図２に示したように、動作電源Ｖｃｃと出力端子間に直列接続された負荷抵抗１８及び可変抵抗１９から構成され、該可変抵抗１９は、前記スライド部１００がスライディングされた長さに正比例して抵抗値が可変され、該可変抵抗１９の抵抗値の変化によって出力端子に流れる電流の量が変化される。且つ、前記電流検出部１８０は、図３に示したように、ＡＤＣ（Ａｎａｌｏｇ−ｔｏ−Ｄｉｇｉｔａｌ  Ｃｏｎｖｅｒｔｅｒ）２４０を介して制御部２６０に接続される。
【００５７】
よって、本発明に係るスライド式端末機のメニュー設定装置は、本体部２００に形成された複数のガイド溝２２０と、スライド部１００の両方側壁端部の外面に突成されたガイド突条１２０と、該ガイド突条１２０が前記ガイド溝２２０に沿ってスライディングされるとき、前記スライド部１００の移動距離を電流値に変換するため、前記歯部１４０、前記円形歯車歯部１６０及び前記電流検出部１８０から構成された移動距離検出部と、該移動距離検出部から出力された電流に基づいて、前記スライド部１００の開放状態を多段階に認識して、各段階に設定された使用者メニューを運用する制御部２６０と、を包含して構成される。
【００５８】
以下、このように構成されたスライド式端末機におけるスライド部１００の移動距離を測定する動作及び方法に対して説明する。
【００５９】
まず、使用者が前記スライド部１００を開閉するため直線方向に該スライド部１００をスライディングさせると、前記歯部１４０に噛合された円形歯車歯部１６０が回転軸を中心に回転され、前記回転軸に一体に固定された前記可変抵抗１９の抵抗値が変化される。即ち、前記スライド部１００がスライディングされた長さは、前記可変抵抗１９の抵抗値の変化により示される。よって、図３に示したように、前記制御部２６０により前記可変抵抗１９の抵抗値の変化による電流が測定されることで、前記スライド部１００の移動状態としての開放状態が測定される。
【００６０】
また、前記スライド部１００の移動に対するモニタリングポイントは、該スライド部１００の左右側壁端部の外面に突成されたガイド突条１２０、及びそれらガイド突条１２０に対応して前記本体部２００の左右側壁の内面に切削形成されたガイド溝２２０により決定される。本発明においては、前記本体部２００の左右側壁の内面に四つのガイド溝２２０をそれぞれ切削形成して、前記スライド部１００の移動をモニタリングするポイントを四つに限定した。このとき、前記モニタリングポイントは、必要な数だけ増加させることができる。
【００６１】
即ち、前記スライド部１００が直線状のスライディング運動を行う場合、前記ガイド突条１２０が最初のガイド溝２２０に係止されてスライディングが停止されるとき、前記可変抵抗１９の抵抗値の変化による電流値をモニタリングする。
【００６２】
この状態で、使用者が再び前記スライド部１００に力を印加すると、前記ガイド突条１２０が二番目のガイド溝２２０に係止されて再び停止され、その間に前記スライド部１００がスライディングされた距離は、前記円形歯車歯部１６０の回転軸に固定された可変抵抗１９の抵抗値の変化により示される。よって、前記可変抵抗１９の抵抗値の変化による電流をモニタリングすることで、前記スライド部１００の移動範囲を判断することができる。
【００６３】
このような動作を反復的に行って前記スライド部１００の移動による電流を段階的にモニタリングすることで、前記スライド部１００の動きを多段階に認識することができる。
【００６４】
以下、前記モニタリングされたスライド部１００の動作範囲によって、制御部２６０が多様なメニュー及び通信モードを選択する動作及び方法に対して説明する。
【００６５】
前記電流検出部１８０から出力される電流はアナログ値を有する。よって、図３に示したように、ＡＤＣ（Ａｎａｌｏｇ−ｔｏ−Ｄｉｇｉｔａｌ  Ｃｏｎｖｅｒｔｅｒ）２４０は、前記電流検出部１８０から出力された電流をデジタル信号に変換し、制御部２６０は、該デジタル信号の入力を受けて、各モニタリングポイント別にメニュー及び通信モードを表示部に表示すると共に運用されるように設定する。
【００６６】
即ち、図４に示したように、前記制御部２６０は、前記ＡＤＣ２４０から入力されたデジタル信号を分析してスライド位置による電流をモニタリングすることで、前記スライド部１００の移動状態を認識することは勿論で、使用者の便宜に係るメニュー機能を実行する。従って、プログラムなどにより、前記スライド部１００の開放状態に対応するように、使用者メニューまたは通信モードを予め設定しなければならない。また、本発明においては、説明の便宜上、四つのモニタリングポイントから検出される電流を、それぞれ第１〜第４電流、即ち１０ｍＡ、２０ｍＡ、３０ｍＡ及び３５ｍＡと仮定する。
【００６７】
まず、制御部２６０は、デジタル信号を分析して電流が検出されたかをチェックし（Ｓ２０）、電流が検出されないと、スライド部１００が完全に閉鎖された状態であるため、端末機を待機モードに運用しながら段階Ｓ２０を行い（Ｓ２１）、反面、電流が検出されると、該検出された電流を既設定された基準電流（１０ｍＡ、２０ｍＡ、３０ｍＡ及び３５ｍＡ）と比較することで端末機（スライド部）の開放状態をチェックする（Ｓ２２）。このとき、前記基準電流値は、所定誤差を許容する範囲に設定することができる。
【００６８】
前記比較の結果、検出された電流が第１電流（１０ｍＡ）に該当する場合は、前記制御部２６０は、前記スライド部１００が若干開放された状態（第１状態）と認識し、該第１状態が所定時間持続すると、警告メッセージを発生するメニューを運用する（Ｓ２３、Ｓ２４）。このとき、前記警告メッセージとしては、例えば、「スライドが開きました」が用いられる。
【００６９】
また、前記検出された電流が第２電流（２０ｍＡ）に該当する場合は、前記制御部２６０は、前記スライド部１００が半分程度開放された状態（第２状態）と認識し、該第２状態が所定時間持続すると、自動応答メッセージを放送する自動応答メニューを運用する（Ｓ２５、Ｓ２６）。このとき、前記自動応答メッセージとしては、例えば、「現在会議中（運転中）ですのでメッセージを残してください」または「ただいま睡眠中ですので２時間後にかけ直してください」が用いられる。よって、使用者が端末機に予め第２状態を設定しておく場合は、別途に自動応答メニューを設定しなくても会議中、運転中または睡眠中に自動応答メッセージが放送されるようになる。
【００７０】
また、前記検出された電流が第３電流（３０ｍＡ）の場合は、前記制御部２６０は、ＬＣＤが完全に見えるように前記スライド部１００が開放された状態（第３状態）と認識し、該第３状態が所定時間持続すると、端末機を通信モードで運用し、該当のメニューをＬＣＤに表示する（Ｓ２７、Ｓ２８）。
【００７１】
また、前記検出された電流が第４電流（３５ｍＡ）の場合は、前記制御部２６０は、カメラが露出されるように前記スライド部１００が完全に開放された状態（第４状態）と認識し、該第４状態が所定時間持続すると、端末機をマルチメディア通信モードで運用し、該当のメニューをＬＣＤに表示する（Ｓ２９、Ｓ３０）。
【００７２】
従って、本発明は、スライド部の開放程度によって、複数のポイントでメニュー機能を自動に実行することで、使用者が別途に端末機にメニューを設定することなく多様なメニュー機能を実行することができる。
【００７３】
以上説明したように、本発明に係るスライド式移動通信端末機のメニュー設定装置及びその方法においては、スライド部の開閉状態を複数のポイントで感知した後、各感知ポイントで使用者が所望の各種メニューまたは通信モードを運用することで、移動通信端末機の機能ボタンをより拡張し得るという効果がある。
【００７４】
また、本発明に係るスライド式移動通信端末機のメニュー設定装置及びその方法を利用する場合、より多様なメニュー及び通信モードを運用し得ると共に、メニューの設定に慣れていない場合も容易に所望のメニューを実行し得るという効果がある。
【００７５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００７６】
（要約）
スライド部の動作範囲によって多様なメニューを設定し得る装置及びその方法を提供しようとする。本体部２００に切削形成された複数のガイド溝２２０と、スライド部１００の両方側壁端部の外面に突成されたガイド突条１２０と、該ガイド突条１２０が前記ガイド溝２２０に沿ってスライディングされるとき、前記スライド部１００の移動距離を電流形態で検出する移動距離検出部（歯部１４０、円形歯車歯部１６０及び電流検出部１８０）と、該移動距離検出部から出力された電流に基づいて前記スライド部１００の開放状態を複数の段階に認識して、使用者メニューを運用する制御部２６０と、を包含してスライド式移動通信端末機のメニュー設定装置を構成する。
【図面の簡単な説明】
【００７７】
【図１】本発明に係るメニュー設定装置が適用されたスライド式端末機の一部を示した説明図である。
【図２】図１の電流検出部の構成を示した説明図である。
【図３】図１の電流検出部と制御部間の接続関係を示したブロック図である。
【図４】本発明に係るスライド式端末機のメニュー設定方法を示したフローチャートである。
【図５】一般のスライド式端末機のスライド部の開閉状態を感知する原理を示した側面図である。
【図６】一般のスライド式端末機の開閉状態によって行われる通信運用方法を示したフローチャートである。
【符号の説明】
【００７８】
１８：負荷抵抗
１９：可変抵抗
１００：スライド部
１２０：ガイド突条
１４０：歯部
１６０：円形歯車歯部
１８０：電流検出部
２００：本体部
２４０：ＡＤＣ
２６０：制御部
【図１】
2004320772.tif 000003
【図２】
2004320772.tif 000004
【図３】
2004320772.tif 000005
【図４】
2004320772.tif 000006
【図５】
2004320772.tif 000007
【図６】
2004320772.tif 000008